(57)【要約】【課題】  外部装置（例えば撮像装置）をパン方向（水平方向）またはチルト方向（垂直方向）に駆動させることができる電子機器（例えば駆動装置）が複数種類の電源を使用できるようにすること。【解決手段】  電子機器（１００）は、第１の電源と接続される第１の接続手段（１０１）と、前記第１の電源と異なる第２の電源と接続される第２の接続手段（１０２）と、前記第１の接続手段から出力された第１の出力電圧と前記第２の接続手段から出力された第２の出力電圧とに基づいて第３の出力電圧を生成する電源制御手段（１０３）と、前記第１の出力電圧を入力し、第４の出力電圧を出力する逆電流防止手段（１０４）と、前記第４の出力電圧を外部装置が有する第４の接続手段に供給する第３の接続手段（１０５）とを有する。【選択図】  図２
2015126515.tif 000002
【特許請求の範囲】
【請求項１】
第１の電源と接続される第１の接続手段と、
前記第１の電源と異なる第２の電源と接続される第２の接続手段と、
前記第１の接続手段から出力された第１の出力電圧と前記第２の接続手段から出力された第２の出力電圧とに基づいて第３の出力電圧を生成する電源制御手段と、
前記第１の出力電圧を入力し、第４の出力電圧を出力する逆電流防止手段と、
前記第４の出力電圧を外部装置が有する第４の接続手段に供給する第３の接続手段と
を有することを特徴とする電子機器。
【請求項２】
前記第３の接続手段は、前記電子機器がパワーオン状態であるかに否かにかかわらず、前記第４の出力電圧を前記第４の接続手段に供給することを特徴とする請求項１に記載の電子機器。
【請求項３】
前記第１の電源は、ＡＣ−ＤＣ変換器として動作する装置であることを特徴とする請求項１または２に記載の電子機器。
【請求項４】
前記第２の電源は、前記電子機器から取り外し可能な電池パックであることを特徴とする請求項１から３のいずれか１項に記載の電子機器。
【請求項５】
前記第２の電源は、前記電子機器に内蔵された電池パックであることを特徴とする請求項１から４のいずれか１項に記載の電子機器。
【請求項６】
第１の電源と接続される第１の接続手段と、
前記第１の電源と異なる第２の電源と接続される第２の接続手段と、
前記第１の接続手段から出力された第１の出力電圧と前記第２の接続手段から出力された第２の出力電圧とに基づいて第３の出力電圧を生成する電源制御手段と、
前記第１の出力電圧を入力し、第４の出力電圧を出力する電圧変換手段と、
前記第４の出力電圧を外部装置が有する第４の接続手段に供給する第３の接続手段と
を有することを特徴とする電子機器。
【請求項７】
前記第３の接続手段は、前記電子機器がパワーオン状態であるかに否かにかかわらず、前記第４の出力電圧を前記第４の接続手段に供給することを特徴とする請求項６に記載の電子機器。
【請求項８】
前記外部装置は、前記外部装置に接続された第３の電源の充電を制御するための充電制御手段を有するものであり、
前記第４の出力電圧は、前記充電制御手段が前記第３の電源の充電を許可できない電圧に相当する
ことを特徴とする請求項６または７に記載の電子機器。
【請求項９】
前記外部装置は、前記外部装置に接続された第３の電源の充電を制御するための充電制御手段を有するものであり、
前記第４の出力電圧は、前記充電制御手段が前記第３の電源の充電を許可できる電圧に相当する
ことを特徴とする請求項６または７に記載の電子機器。
【請求項１０】
前記第１の電源は、ＡＣ−ＤＣ変換器として動作する装置であることを特徴とする請求項６から９のいずれか１項に記載の電子機器。
【請求項１１】
前記第２の電源は、前記電子機器から取り外し可能な電池パックであることを特徴とする請求項６から１０のいずれか１項に記載の電子機器。
【請求項１２】
前記第２の電源は、前記電子機器に内蔵された電池パックであることを特徴とする請求項６から１１のいずれか１項に記載の電子機器。
【発明の詳細な説明】
【技術分野】
【０００１】
本発明は、カメラなどの外部装置をパン方向（水平方向）またはチルト方向（垂直方向）に駆動させることができる電子機器に関する。
【背景技術】
【０００２】
特許文献１には、撮像装置をパン方向（水平方向）またはチルト方向（垂直方向）に駆動させることができる駆動装置（或いは雲台装置）が記載されている。また、特許文献２及び３には、充電機能を有するＡＣアダプタが記載されている。
【先行技術文献】
【特許文献】
【０００３】
【特許文献１】特開平８−１３５８８９号公報
【特許文献２】特開平４−２７１２７９号公報
【特許文献３】特開平５−３１６６６８号公報
【発明の概要】
【発明が解決しようとする課題】
【０００４】
しかしながら、特許文献１には、カメラなどの外部装置をパン方向（水平方向）またはチルト方向（垂直方向）に駆動させることができる駆動装置が記載されているが、この駆動装置は複数種類の電源を使用できるものではない。ユーザの利便性を考慮すれば、このような駆動装置は、ＡＣアダプタ及び取り外し可能な電池を電源として使用できるようにするのが望ましい。
【０００５】
また、ユーザの利便性を考慮すれば、一つのＡＣアダプタを、駆動装置の電源として使用でき、駆動装置に接続された外部装置（例えば撮像装置）の電源としても使用できるようにするのが望ましい。
【０００６】
さらに、取り外し可能な電池の使用時間をより長くしたいことを考慮すれば、取り外し可能な電池を駆動装置の電源として使用する場合は、その電池が駆動装置に接続された外部装置（例えば撮像装置）の電源として使用されないようにするのが望ましい。
【０００７】
そこで、本発明は、外部装置（例えば撮像装置）をパン方向（水平方向）またはチルト方向（垂直方向）に駆動させることができる電子機器（例えば駆動装置）が複数種類の電源を使用できるようにすることを目的とする。
【０００８】
また、本発明は、一つのＡＣアダプタを、駆動装置の電源として使用でき、駆動装置に接続された外部装置（例えば撮像装置）の電源としても使用できるようにすることを目的とする。
【０００９】
また、本発明は、取り外し可能な電池が駆動装置の電源として使用される場合は、その電池が駆動装置に接続された外部装置（例えば撮像装置）の電源として使用されないようにすることを目的とする。
【課題を解決するための手段】
【００１０】
本発明に係る電子機器の一つは、第１の電源と接続される第１の接続手段と、前記第１の電源と異なる第２の電源と接続される第２の接続手段と、前記第１の接続手段から出力された第１の出力電圧と前記第２の接続手段から出力された第２の出力電圧とに基づいて第３の出力電圧を生成する電源制御手段と、前記第１の出力電圧を入力し、第４の出力電圧を出力する逆電流防止手段と、前記第４の出力電圧を外部装置が有する第４の接続手段に供給する第３の接続手段とを有することを特徴とする。
【００１１】
本発明に係る電子機器の一つは、第１の電源と接続される第１の接続手段と、前記第１の電源と異なる第２の電源と接続される第２の接続手段と、前記第１の接続手段から出力された第１の出力電圧と前記第２の接続手段から出力された第２の出力電圧とに基づいて第３の出力電圧を生成する電源制御手段と、前記第１の出力電圧を入力し、第４の出力電圧を出力する電圧変換手段と、前記第４の出力電圧を外部装置が有する第４の接続手段に供給する第３の接続手段とを有することを特徴とする。
【発明の効果】
【００１２】
本発明によれば、外部装置（例えば撮像装置）をパン方向（水平方向）またはチルト方向（垂直方向）に駆動させることができる電子機器（例えば駆動装置）は複数種類の電源を使用することができる。
【００１３】
本発明によれば、一つのＡＣアダプタを、駆動装置の電源として使用でき、駆動装置に接続された外部装置（例えば撮像装置）の電源としても使用することができる。
【００１４】
本発明によれば、取り外し可能な電池が駆動装置の電源として使用される場合は、その電池が駆動装置に接続された外部装置（例えば撮像装置）の電源として使用されないようにすることができる。
【図面の簡単な説明】
【００１５】
【図１】実施形態１におけるカメラシステムの構成の一例を説明するための図である。
【図２】図１における電子機器１００及び外部装置３００が有するいくつかの構成要素の第１の例を説明するための図である。
【図３】図２における出力電圧Ｖ１、出力電圧Ｖ２、出力電圧Ｖ３及び出力電圧Ｖ４の一例を説明するための図である。
【図４】図２における出力電圧Ｖ１、出力電圧Ｖ２、出力電圧Ｖ３及び出力電圧Ｖ４の一例を説明するための図である。
【図５】図１における電子機器１００及び外部装置３００が有するいくつかの構成要素の第２の例を説明するための図である。
【図６】図５における出力電圧Ｖ１、出力電圧Ｖ２、出力電圧Ｖ３及び出力電圧Ｖ４の一例を説明するための図である。
【図７】図５における出力電圧Ｖ１、出力電圧Ｖ２、出力電圧Ｖ３及び出力電圧Ｖ４の一例を説明するための図である。
【図８】図２及び図５における出力電圧Ｖ４と充電可能範囲との関係の一例を説明するための図である。
【発明を実施するための形態】
【００１６】
以下、図面を参照して本発明の実施形態を説明する。ただし、本発明の実施形態は以下の実施形態に限定されるものではない。
【００１７】
［実施形態１］
図１は、実施形態１におけるカメラシステムの構成の一例を説明するための図である。
【００１８】
図１に示すように、実施形態１におけるカメラシステムは、電子機器１００と、ＡＣアダプタ２００と、外部装置３００とを含む。電子機器１００は、例えば、ケーブル４００を介してＡＣアダプタ２００と接続されるように構成されている。電子機器１００は、例えば、ケーブル５００を介して外部装置３００と接続されるように構成されている。
【００１９】
電子機器１００は、例えば、駆動装置（或いは雲台装置）として動作することができる。電子機器１００は、外部装置３００を設置するための台座部を有する。台座部には、外部装置３００を保持するための保持部材が設けられている。電子機器１００は、台座部に設置された外部装置３００をパン方向（水平方向）、チルト方向（垂直方向）又はパン方向（水平方向）及びチルト方向（垂直方向）の両方に駆動させることができるように構成されている。
【００２０】
ＡＣアダプタ２００は、外部のＡＣ（Ａｌｔｅｒｎａｔｉｎｇ  Ｃｕｒｒｅｎｔ）電源からＡＣアダプタ２００に供給されたＡＣ（Ａｌｔｅｒｎａｔｉｎｇ  Ｃｕｒｒｅｎｔ）電力を受けるように構成されている。ＡＣアダプタ２００は、外部のＡＣ電源からＡＣアダプタ２００に供給されたＡＣ電力をＤＣ（Ｄｉｒｅｃｔ  Ｃｕｒｒｅｎｔ）電力に変換する。ＡＣアダプタ２００はさらに、ＡＣ電力から変換されたＤＣ電力を電子機器１００に供給できるように構成されている。ＡＣアダプタ２００は、ＡＣ−ＤＣ変換器として動作する装置である。ＡＣアダプタ２００は、第１の電源に相当する。
【００２１】
外部装置３００は、例えば、撮像装置として動作する装置である。カメラ、ビデオカメラ、カメラを有する携帯電話、並びに、カメラを有する携帯端末は、撮像装置の一例である。
【００２２】
次に、図２を参照し、図１における電子機器１００及び外部装置３００が有するいくつかの構成要素の第１の例を説明する。
【００２３】
図２に示すように、電子機器１００は、第１の接続部１０１と、第２の接続部１０２と、電源制御部１０３と、逆電流防止部１０４と、第３の接続部１０５とを有する。電子機器１００はさらに、起動制御部１０６と、プロセッサ１０７と、駆動制御部１０８と、通信制御部１０９と、電流検出部１１０とを有する。なお、第１の例では、電子機器１００は、図２に示す構成要素以外の構成要素を有するものである。したがって、第１の例では、電子機器１００が有する構成要素は、図２に示す構成要素に限定されるものではない。
【００２４】
図２に示すように、外部装置３００は、第４の接続部３０１と、電源制御部３０２と、プロセッサ３０３と、カメラ部３０４と、通信制御部３０５と、第５の接続部３０６とを有する。なお、第１の例では、外部装置３００は、図２に示す構成要素以外の構成要素を有するものである。したがって、第１の例では、外部装置３００が有する構成要素は、図２に示す構成要素に限定されるものではない。
【００２５】
第１の接続部１０１は、ケーブル４００を介してＡＣアダプタ２００と接続される。ＡＣアダプタ２００の出力電圧は、第１の接続部１０１の入力電圧として第１の接続部１０１に入力される。ＡＣアダプタ２００の出力電圧は、例えば、約５．０Ｖにすることができる。第１の接続部１０１は、ＡＣアダプタ２００の出力電圧から出力電圧Ｖ１を生成し、生成した出力電圧Ｖ１を逆電流防止部１０４及び電源制御部１０３に供給する。出力電圧Ｖ１は、第１の出力電圧に相当する。
【００２６】
第２の接続部１０２は、電池パック１０２ａと接続される。電池パック１０２ａの出力電圧は、第２の接続部１０２の入力電圧として第２の接続部１０２に入力される。電池パック１０２ａの出力電圧は、例えば、約３．６Ｖにすることができる。第２の接続部１０２は、電池パック１０２ａの出力電圧から出力電圧Ｖ２を生成し、生成した出力電圧Ｖ２を電源制御部１０３に供給する。出力電圧Ｖ２は、第２の出力電圧に相当する。
【００２７】
電池パック１０２ａは、１つ以上の一次電池又は１つ以上の二次電池を有する。ここで、１つ以上の二次電池はいずれも充電可能な電池である。電池パック１０２ａは、電子機器１００から取り外し可能な電池パックか、電子機器１００に内蔵された電池パックである。電池パック１０２ａは、第２の電源に相当する。
【００２８】
電源制御部１０３は、第１の接続部１０１から供給された出力電圧Ｖ１と第２の接続部１０２から供給された出力電圧Ｖ２とに基づいて、出力電圧Ｖ３を生成することができる。例えば、電源制御部１０３は、Ｖｍａｘ（Ｖ１，Ｖ２）−ＶＦ１が出力電圧Ｖ３になるように構成されている。Ｖｍａｘ（Ｖ１，Ｖ２）は、出力電圧Ｖ１と出力電圧Ｖ２とのうちの最も大きい電圧に相当する。ＶＦ１は、電源制御部１０３における損失に相当する。例えば、出力電圧Ｖ１≧出力電圧Ｖ２の場合、出力電圧Ｖ３＝Ｖ１−ＶＦ１となる。出力電圧Ｖ２＞出力電圧Ｖ１の場合、出力電圧Ｖ３＝Ｖ２−ＶＦ１となる。電源制御部１０３の出力電圧である出力電圧Ｖ３は、起動制御部１０６、プロセッサ１０７、駆動制御部１０８及び通信制御部１０９に供給される。出力電圧Ｖ３は、第３の出力電圧に相当する。
【００２９】
逆電流防止部１０４は、第３の接続部１０５に誤って入力された電流が第３の接続部１０５から第１の接続部１０１及び電源制御部１０３に逆流されないようにするための回路である。逆電流防止部１０４は、例えば、ダイオードによって構成することができる。逆電流防止部１０４の入力電圧は、出力電圧Ｖ１であり、逆電流防止部１０４の出力電圧は、出力電圧Ｖ４（＝Ｖ１−ＶＦ２）である。ＶＦ２は、逆電流防止部１０４における損失に相当する。出力電圧Ｖ４は、第４の出力電圧に相当する。
【００３０】
第３の接続部１０５は、ケーブル５００を介して外部装置３００の第４の接続部３０１と接続される。第３の接続部１０５は、逆電流防止部１０４から第３の接続部１０５に供給された出力電圧Ｖ４（＝Ｖ１−ＶＦ２）を第３の接続部１０５の入力電圧として入力し、出力電圧Ｖ４を第３の接続部１０５の出力電圧として出力する。第３の接続部１０５の出力電圧である出力電圧Ｖ４は、第３の接続部１０５から第４の接続部３０１に供給される。第３の接続部１０５は、ＡＣアダプタ２００から第１の接続部１０１に所定の電力が供給されていれば、電子機器１００がパワーオン状態であるか否かにかかわらず、出力電圧Ｖ４を第３の接続部１０５から第４の接続部３０１に供給することができる。言い換えれば、第３の接続部１０５は、ＡＣアダプタ２００から第１の接続部１０１に所定の電力が供給されていれば、電子機器１００が起動する前の状態であっても、出力電圧Ｖ４を第３の接続部１０５から第４の接続部３０１に供給することができる。したがって、第３の接続部１０５は、ＡＣアダプタ２００から第１の接続部１０１に所定の電力が供給されていれば、駆動制御部１０８が起動する前の状態であっても、出力電圧Ｖ４を第３の接続部１０５から第４の接続部３０１に供給することができる。
【００３１】
起動制御部１０６は、オン状態及びオフ状態のいずれかを選択するためのパワースイッチ部であるＰＳ１を有する。ＰＳ１は、ユーザによる操作が可能である。ＰＳ１によってオン状態が選択された場合、起動制御部１０６は、オン状態が選択されたことをプロセッサ１０７に通知することができる。ＰＳ１によってオフ状態が選択された場合、起動制御部１０６は、オフ状態が選択されたことをプロセッサ１０７に通知することができる。
【００３２】
プロセッサ１０７は、電子機器１００の動作を制御するための制御部として動作することができる。起動制御部１０６からの通知によってオン状態が選択されたことを知ったプロセッサ１０７は、電子機器１００をパワーオン状態に遷移させる。電子機器１００がパワーオン状態に遷移した場合、プロセッサ１０７は、駆動制御部１０８を起動させる。起動制御部１０６からの通知によってオフ状態が選択されたことを知ったプロセッサ１０７は、電子機器１００をパワーオフ状態に遷移させる。電子機器１００がパワーオフ状態に遷移した場合、プロセッサ１０７は、駆動制御部１０８を動作停止状態に遷移させる。
【００３３】
駆動制御部１０８は、外部装置３００を設置するための台座部を、パン方向（水平方向）、チルト方向（垂直方向）、又は、パン方向（水平方向）及びチルト方向（垂直方向）の両方に駆動させることができるように構成されている。
【００３４】
通信制御部１０９は、外部装置３００の通信制御部３０５と有線通信又は無線通信を行うことができる。通信制御部１０９が通信制御部３０５と有線通信を行う場合、通信制御部１０９と通信制御部３０５とは、ケーブル５００又はケーブル５００以外の伝送路を介して接続される。
【００３５】
電流検出部１１０は、電源制御部１０３から出力される電流を検出することができる。電流検出部１１０によって検出された電流を示す情報は、プロセッサ１０７に通知される。
【００３６】
第４の接続部３０１は、ケーブル５００を介して電子機器１００の第３の接続部１０５と接続される。第４の接続部３０１は、出力電圧Ｖ４（＝Ｖ１−ＶＦ２）を第４の接続部３０１の入力電圧として入力し、出力電圧Ｖ４を第４の接続部３０１の出力電圧として出力する。第４の接続部３０１の出力電圧である出力電圧Ｖ４は、第４の接続部３０１から電源制御部３０２に供給される。
【００３７】
電源制御部３０２は、電池パック３０６ａの充電を制御する充電制御部として動作することも、電池パック３０６ａの放電を制御する放電制御部として動作することもできる。外部装置３００がパワーオン状態である場合、電源制御部３０２は、充電制御部として動作しないが、放電制御部として動作する。電源制御部３０２が放電制御部として動作する場合、第４の接続部３０１から電源制御部３０２に供給された出力電圧Ｖ４及び第５の接続部３０６から電源制御部３０２に供給された出力電圧のいずれかが電源制御部３０２に入力される。この場合、電源制御部３０２は、プロセッサ３０３及びカメラ部３０４を動作させるのに必要な電力をプロセッサ３０３及びカメラ部３０４に供給する。さらにこの場合、電池パック３０６ａの放電は、電源制御部３０２によって制御される。
【００３８】
外部装置３００がパワーオフ状態である場合、電源制御部３０２は、放電制御部として動作しないが、充電制御部として動作する。電源制御部３０２が充電制御部として動作する場合、第４の接続部３０１から電源制御部３０２に供給された出力電圧Ｖ４が電源制御部３０２に入力される。電源制御部３０２が充電制御部として動作する場合であって出力電圧Ｖ４の値が充電可能範囲内である場合、電源制御部３０２は、電池パック３０６ａを充電するのに必要な電力を第５の接続部３０６を介して電池パック３０６ａに供給することができる。電源制御部３０２が充電制御部として動作する場合であって出力電圧Ｖ４の値が充電可能範囲内である場合、電池パック３０６ａの充電は、電源制御部３０２によって制御される。出力電圧Ｖ４と充電可能範囲との関係については、後ほど図８を用いて説明する。
【００３９】
プロセッサ３０３は、外部装置３００の動作を制御するための制御部として動作することができる。外部装置３００は、オン状態及びオフ状態のいずれかを選択するためのパワースイッチ部であるＰＳ２を有する。ＰＳ２は、ユーザによる操作が可能である。ＰＳ２によってオン状態が選択されたことを知ったプロセッサ３０３は、外部装置３００をパワーオン状態に遷移させる。ＰＳ２によってオフ状態が選択されたことを知ったプロセッサ３０３は、外部装置３００をパワーオフ状態に遷移させる。
【００４０】
カメラ部３０４は、被写体の光学像から画像データを生成することができる撮像部と、撮像部によって生成された画像データに対応する画像を表示器に表示されることができる表示制御部とを有する。カメラ部３０４はさらに、撮像部によって生成された画像データをカメラ部３０４から取り外し可能な記憶媒体に格納することができる格納制御部を有する。
【００４１】
通信制御部３０５は、電子機器１００の通信制御部１０９と有線通信又は無線通信を行うことができる。
【００４２】
第５の接続部３０６は、電池パック３０６ａと接続される。電源制御部３０２が放電制御部として動作する場合、第５の接続部３０６は、電池パック３０６ａの出力電圧を電源制御部３０２に供給することができる。電源制御部３０２が充電制御部として動作する場合、第５の接続部３０６は、電池パック３０６ａを充電するのに必要な電力を電池パック３０６ａに供給することができる。
【００４３】
電池パック３０６ａは、１つ以上の二次電池を有する。ここで、１つ以上の二次電池はいずれも充電可能な電池である。電池パック３０６ａは、外部装置３００から取り外し可能な電池パックか、外部装置３００に内蔵された電池パックである。電池パック３０６ａは、第３の電源に相当する。
【００４４】
次に、図２、図３及び図４を参照し、図２における出力電圧Ｖ１、出力電圧Ｖ２、出力電圧Ｖ３及び出力電圧Ｖ４の一例を説明する。
【００４５】
図３及び図４におけるケース（１）は、出力電圧Ｖ１が第１の接続部１０１から出力され、出力電圧Ｖ２が第２の接続部１０２から出力されている場合である。図３及び図４におけるケース（１）では、電源制御部１０３から出力される出力電圧Ｖ３はＶｍａｘ（Ｖ１，Ｖ２）−ＶＦ１であり、第３の接続部１０５から出力される出力電圧Ｖ４はＶ１−ＶＦ２である。図４のケース（１）は、例えば、出力電圧Ｖ１＝５．０Ｖであり、出力電圧Ｖ２＝３．６Ｖであり、ＶＦ１＝０．６Ｖであり、ＶＦ２＝０．２Ｖである場合を示す。図４のケース（１）では、出力電圧Ｖ３は４．４Ｖ（＝Ｖｍａｘ（Ｖ１，Ｖ２）−ＶＦ１＝５．０Ｖ−０．６Ｖ）であり、出力電圧Ｖ４は４．８Ｖ（＝Ｖ１−ＶＦ２＝５．０Ｖ−０．２Ｖ）である。
【００４６】
図３及び図４におけるケース（２）は、出力電圧Ｖ１が第１の接続部１０１から出力されている場合であり、出力電圧Ｖ２が第２の接続部１０２から出力されていない場合である。図３及び図４のケース（２）では、電源制御部１０３から出力される出力電圧Ｖ３はＶ１−ＶＦ１であり、第３の接続部１０５から出力される出力電圧Ｖ４はＶ１−ＶＦ２である。図４のケース（２）は、例えば、出力電圧Ｖ１＝５．０Ｖであり、出力電圧Ｖ２＝０Ｖであり、ＶＦ１＝０．６Ｖであり、ＶＦ２＝０．２Ｖである場合を示す。図４のケース（２）では、出力電圧Ｖ３は４．４Ｖ（＝Ｖ１−ＶＦ１＝５．０Ｖ−０．６Ｖ）であり、出力電圧Ｖ４は４．８Ｖ（＝Ｖ１−ＶＦ２＝５．０Ｖ−０．２Ｖ）である。
【００４７】
図３及び図４のケース（１）及び（２）では、出力電圧Ｖ４の値は図８に示す充電可能範囲内である。そのため、電源制御部３０２が充電制御部として動作する場合、電源制御部３０２は、電子機器１００から外部装置３００に供給された電力を用いて電池パック３０６ａを充電することができる。ただし、ＡＣアダプタ２００の出力電圧が変化したために、出力電圧Ｖ４の値が図８に示す充電可能範囲外に変化した場合、電源制御部３０２は、電子機器１００から外部装置３００に供給された電力を用いて電池パック３０６ａを充電することはしない。
【００４８】
図３及び図４におけるケース（３）は、出力電圧Ｖ２が第２の接続部１０２から出力されている場合であり、出力電圧Ｖ１が第１の接続部１０１から出力されていない場合である。図３及び図４のケース（３）では、電源制御部１０３から出力される出力電圧Ｖ３はＶ２−ＶＦ１であり、第３の接続部１０５から出力される出力電圧Ｖ４は０Ｖである。図４のケース（３）は、例えば、出力電圧Ｖ１＝０Ｖであり、出力電圧Ｖ２＝３．６Ｖであり、ＶＦ１＝０．６Ｖであり、ＶＦ２＝０．２Ｖである場合を示す。図４のケース（３）では、出力電圧Ｖ３は３．０Ｖ（＝Ｖ２−ＶＦ１＝３．６Ｖ−０．６Ｖ）であり、出力電圧Ｖ４は０Ｖである。
【００４９】
図３及び図４におけるケース（４）は、出力電圧Ｖ１が第１の接続部１０１から出力されておらず、出力電圧Ｖ２も第２の接続部１０２から出力されていない場合である。図３及び図４のケース（４）では、電源制御部１０３から出力される出力電圧Ｖ３は０Ｖであり、第３の接続部１０５から出力される出力電圧Ｖ４も０Ｖである。
【００５０】
図３及び図４のケース（３）及び（４）では、出力電圧Ｖ４の値は図８に示す充電可能範囲外である。そのため、電源制御部３０２が充電制御部として動作する場合であっても、電源制御部３０２は、電子機器１００から外部装置３００に供給された電力を用いて電池パック３０６ａを充電することはしない。
【００５１】
図３及び図４に示すように、ケース（１）、（２）及び（３）のいずれの場合であっても、電源制御部１０３は、出力電圧Ｖ３（例えば、３．０Ｖ〜４．４Ｖ）を起動制御部１０６、プロセッサ１０７及び駆動制御部１０８に供給することができる。したがって、ケース（１）、（２）及び（３）のいずれの場合であっても、電池パック１０２ａ又はＡＣアダプタ２００が電子機器１００に接続されていれば、ＰＳ１をオン状態にすることにより、駆動制御部１０８を起動させることができる。
【００５２】
図３及び図４に示すように、ケース（１）及び（２）のいずれの場合であっても、第３の接続部１０５は、電子機器１００がパワーオン状態であるか否かにかかわらず、出力電圧Ｖ４を第４の接続部３０１に供給することができる。そして、出力電圧Ｖ４の値が図８に示す充電可能範囲内であり、電源制御部３０２が充電制御部として動作する場合、電源制御部３０２は、電子機器１００から外部装置３００に供給された電力を用いて電池パック３０６ａを充電することができる。
【００５３】
図３及び図４のケース（１）及び（２）では、ＡＣアダプタ２００からの電力を逆電流防止部１０４を介して外部装置３００に供給する構成を用いることができる。ＡＣアダプタ２００からの電力を逆電流防止部１０４を介して外部装置３００に供給する構成は、ＡＣアダプタ２００からの電力を電源制御部１０３を介して外部装置３００に供給する構成に比べてラインインピーダンスを下げることができる。したがって、ＡＣアダプタ２００からの電力を逆電流防止部１０４を介して外部装置３００に供給する構成は、ＡＣアダプタ２００からの電力を電源制御部１０３を介して外部装置３００に供給する構成に比べて電力伝送効率をよくすることができる。
【００５４】
電子機器１００及び外部装置３００の両方の動作を可能にしたい場合、ユーザは、一つのＡＣアダプタ２００を電子機器１００に接続すればよい（図３及び図４のケース（１）及び（２）参照）。この場合、ＡＣアダプタ２００は、電子機器１００及び外部装置３００の電源として動作する。
【００５５】
電子機器１００及び外部装置３００のうちの電子機器１００だけの動作を可能にしたい場合、ユーザは、電池パック１０２ａを電子機器１００に接続すればよい（図３及び図４のケース（３）参照）。この場合、電池パック１０２ａは、電子機器１００の電源として動作するが、外部装置３００の電源として動作しない。
【００５６】
なお、図２では、電子機器１００が２つの電源と接続される場合を説明した。しかしながら、電子機器１００は、３つ以上の電源と接続されるように構成してもよい。３つ以上の電源が電子機器１００に接続される場合、電源制御部１０３は、３つ以上の電源の出力電圧のうちの最も大きい出力電圧からＶＦ１を差し引いた電圧を出力電圧Ｖ３として出力するように構成される。
【００５７】
また、図１及び図２では、ＡＣアダプタ２００から電子機器１００への電力供給がケーブル４００を介して行われる場合を説明した。しかしながら、ＡＣアダプタ２００から電子機器１００への電力供給は、ケーブル４００の代わりに無線電力伝送を用いるようにしてもよい。
【００５８】
また、図１及び図２では、電子機器１００から外部装置３００への電力供給がケーブル５００を介して行われる場合を説明した。しかしながら、電子機器１００から外部装置３００への電力供給は、ケーブル５００の代わりに無線電力伝送を用いるようにしてもよい。
【００５９】
また、図２では、電子機器１００が電流検出部１１０を有する場合を説明したが、図２に示す電子機器１００では、電流検出部１１０を省略することも可能である。
【００６０】
次に、図５を参照し、図１における電子機器１００及び外部装置３００が有するいくつかの構成要素の第２の例を説明する。図５において、図２に示す構成要素と同様のものについては、同一の符号を付し、その説明を省略する。
【００６１】
図５に示すように、電子機器１００は、第１の接続部１０１と、第２の接続部１０２と、電源制御部１０３と、電圧変換部５０１と、第３の接続部１０５とを有する。電子機器１００はさらに、起動制御部１０６と、プロセッサ１０７と、駆動制御部１０８と、通信制御部１０９と、電流検出部１１０とを有する。なお、第２の例では、電子機器１００は、図５に示す構成要素以外の構成要素を有するものである。したがって、第２の例では、電子機器１００が有する構成要素は、図５に示す構成要素に限定されるものではない。
【００６２】
図５に示すように、外部装置３００は、第４の接続部３０１と、電源制御部３０２と、プロセッサ３０３と、カメラ部３０４と、通信制御部３０５と、第５の接続部３０６とを有する。なお、第２の例では、外部装置３００は、図５に示す構成要素以外の構成要素を有するものである。したがって、第２の例では、外部装置３００が有する構成要素は、図５に示す構成要素に限定されるものではない。
【００６３】
図５に示す電子機器１００は、図２に示す電子機器１００と異なり、逆電流防止部１０４の代わりに電圧変換部５０１を有する。そのため、図５に示す第１の接続部１０１は、ＡＣアダプタ２００の出力電圧から生成された出力電圧Ｖ１を電圧変換部５０１及び電源制御部１０３に供給できるように変更されている。さらに、図５に示すプロセッサ１０７は、電流検出部１１０によって検出された電流を示す情報に基づいて、電圧変換部５０１を制御できるように変更されている。
【００６４】
電圧変換部５０１の入力電圧は、第１の接続部１０１から電圧変換部５０１に供給された出力電圧Ｖ１であり、電圧変換部５０１の出力電圧は、出力電圧Ｖ４である。電圧変換部５０１は、第１の接続部１０１から電圧変換部５０１に供給された出力電圧Ｖ１を昇圧又は降圧し、出力電圧Ｖ１を出力電圧Ｖ４に変換する。出力電圧Ｖ４の値は、例えば、プロセッサ１０７が電流検出部１１０によって検出された電流を示す情報に基づいて制御される。出力電圧Ｖ４は、電圧変換部５０１から第３の接続部１０５に供給される。出力電圧Ｖ４は、第４の出力電圧に相当する。
【００６５】
電圧変換部５０１はさらに、第３の接続部１０５に誤って入力された電流が第３の接続部１０５から第１の接続部１０１及び電源制御部１０３に逆流されないようにするための回路を含む。
【００６６】
次に、図５、図６及び図７を参照し、図５における出力電圧Ｖ１、出力電圧Ｖ２、出力電圧Ｖ３及び出力電圧Ｖ４の一例を説明する。
【００６７】
図６及び図７におけるケース（１）は、出力電圧Ｖ１が第１の接続部１０１から出力され、出力電圧Ｖ２が第２の接続部１０２から出力され、出力電圧Ｖ４が電圧変換部５０１から出力されている場合である。図６及び図７におけるケース（１）では、電源制御部１０３から出力される出力電圧Ｖ３はＶｍａｘ（Ｖ１，Ｖ２）−ＶＦ１であり、第３の接続部１０５から出力される出力電圧Ｖ４は出力電圧Ｖ３に基づいて生成されたものである。図７のケース（１）は、例えば、出力電圧Ｖ１＝５．０Ｖであり、出力電圧Ｖ２＝３．６Ｖであり、出力電圧Ｖ４＝４．５Ｖ〜４．８Ｖであり、ＶＦ１＝０．６Ｖである場合を示す。図７のケース（１）では、出力電圧Ｖ３は４．４Ｖ（＝Ｖｍａｘ（Ｖ１，Ｖ２）−ＶＦ１＝５．０Ｖ−０．６Ｖ）であり、出力電圧Ｖ４は４．５Ｖ〜４．８Ｖである。
【００６８】
図６及び図７におけるケース（２）は、出力電圧Ｖ１が第１の接続部１０１から出力され、出力電圧Ｖ４が電圧変換部５０１から出力されている場合であり、出力電圧Ｖ２が第２の接続部１０２から出力されていない場合である。図６及び図７のケース（２）では、電源制御部１０３から出力される出力電圧Ｖ３はＶ１−ＶＦ１であり、第３の接続部１０５から出力される出力電圧Ｖ４は出力電圧Ｖ３に基づいて生成されたものである。図７のケース（２）は、例えば、出力電圧Ｖ１＝５．０Ｖであり、出力電圧Ｖ２＝０Ｖであり、出力電圧Ｖ４＝４．５Ｖ〜４．８Ｖであり、ＶＦ１＝０．６Ｖである場合を示す。図７のケース（２）では、出力電圧Ｖ３は４．４Ｖ（＝Ｖ１−ＶＦ１＝５．０Ｖ−０．６Ｖ）であり、出力電圧Ｖ４は４．５Ｖ〜４．８Ｖである。
【００６９】
なお、図６及び図７のケース（１）及び（２）において、電源制御部３０２が電池パック３０６ａの充電を行うことを避けたい場合、プロセッサ１０７は、０Ｖ≦出力電圧Ｖ４≦４．７Ｖが満たされるように電圧変換部５０１を制御すればよい。０Ｖ≦出力電圧Ｖ４≦４．７Ｖである場合、出力電圧Ｖ４は、電源制御部３０２が電池パック３０６ａの充電を許可できない電圧に相当する（図８参照）。
【００７０】
一方、図６及び図７のケース（１）及び（２）において、電源制御部３０２が電池パック３０６ａの充電を行えるようにしたい場合、プロセッサ１０７は、４．７Ｖ＜出力電圧Ｖ４≦５．０Ｖが満たされるように電圧変換部５０１を制御すればよい。４．７Ｖ＜出力電圧Ｖ４≦５．０Ｖである場合、出力電圧Ｖ４は、電源制御部３０２が電池パック３０６ａの充電を許可できる電圧に相当する（図８参照）。４．７Ｖ＜出力電圧Ｖ４≦５．０Ｖである場合であって電源制御部３０２が充電制御部として動作する場合、電源制御部３０２は、電子機器１００から外部装置３００に供給された電力を用いて電池パック３０６ａを充電することができる。ただし、ＡＣアダプタ２００の出力電圧が変化したために、出力電圧Ｖ４の値が図８に示す充電可能範囲外に変化した場合、電源制御部３０２は、電子機器１００から外部装置３００に供給された電力を用いて電池パック３０６ａを充電することはしない。
【００７１】
図６及び図７におけるケース（３）は、出力電圧Ｖ２が第２の接続部１０２から出力されている場合であり、出力電圧Ｖ１が第１の接続部１０１から出力されておらず、出力電圧Ｖ４も電圧変換部５０１から出力されていない場合である。図６及び図７のケース（３）では、電源制御部１０３から出力される出力電圧Ｖ３はＶ２−ＶＦ１であり、第３の接続部１０５から出力される出力電圧Ｖ４は０Ｖである。図７のケース（３）は、例えば、出力電圧Ｖ１＝０Ｖであり、出力電圧Ｖ２＝３．６Ｖであり、出力電圧Ｖ４＝０Ｖであり、ＶＦ１＝０．６Ｖである場合を示す。図７のケース（３）では、出力電圧Ｖ３は３．０Ｖ（＝Ｖ２−ＶＦ１＝３．６Ｖ−０．６Ｖ）であり、出力電圧Ｖ４は０Ｖである。
【００７２】
図６及び図７におけるケース（４）は、出力電圧Ｖ１が第１の接続部１０１から出力されておらず、出力電圧Ｖ２も第２の接続部１０２から出力されておらず、出力電圧Ｖ４も電圧変換部５０１から出力されていない場合である。図６及び図７のケース（４）では、電源制御部１０３から出力される出力電圧Ｖ３は０Ｖであり、第３の接続部１０５から出力される出力電圧Ｖ４も０Ｖである。
【００７３】
図６及び図７のケース（３）及び（４）では、出力電圧Ｖ４の値は図８に示す充電可能範囲外である。そのため、電源制御部３０２が充電制御部として動作する場合であっても、電源制御部３０２は、電子機器１００から外部装置３００に供給された電力を用いて電池パック３０６ａを充電することはしない。
【００７４】
図６及び図７に示すように、ケース（１）、（２）及び（３）のいずれの場合であっても、電源制御部１０３は、出力電圧Ｖ３（例えば、３．０Ｖ〜４．４Ｖ）を起動制御部１０６、プロセッサ１０７及び駆動制御部１０８に供給することができる。したがって、ケース（１）、（２）及び（３）のいずれの場合であっても、電池パック１０２ａ又はＡＣアダプタ２００が電子機器１００に接続されていれば、ＰＳ１をオン状態にすることにより、駆動制御部１０８を起動させることができる。
【００７５】
図６及び図７に示すように、ケース（１）及び（２）のいずれの場合であっても、第３の接続部１０５は、電子機器１００がパワーオン状態であるか否かにかかわらず、出力電圧Ｖ４を第４の接続部３０１に供給することができる。そして、出力電圧Ｖ４の値が図８に示す充電可能範囲内であり、電源制御部３０２が充電制御部として動作する場合、電源制御部３０２は、電子機器１００から外部装置３００に供給された電力を用いて電池パック３０６ａを充電することができる。
【００７６】
図６及び図７のケース（１）及び（２）では、ＡＣアダプタ２００からの電力を電圧変換部５０１を介して外部装置３００に供給する構成を用いることができる。これにより、プロセッサ１０７が電圧変換部５０１を制御すれば、出力電圧Ｖ４の値を任意の値（例えば、４．５Ｖ〜４．８Ｖ）に調整することができる。例えば、電源制御部３０２が電池パック３０６ａを充電する場合に用いられる出力電圧Ｖ４の値が４．７Ｖ超である場合、プロセッサ１０７は、出力電圧Ｖ４の値を４．７Ｖ超か否かに調整することができる。出力電圧Ｖ４の値が４．７Ｖ超に調整される場合、電源制御部３０２は、電池パック３０６ａを充電することができる。出力電圧Ｖ４の値が４．７Ｖ以下に調整される場合、電源制御部３０２は、電池パック３０６ａを充電しない。
【００７７】
電子機器１００及び外部装置３００の両方の動作を可能にしたい場合、ユーザは、一つのＡＣアダプタ２００を電子機器１００に接続すればよい（図６及び図７のケース（１）及び（２）参照）。この場合、ＡＣアダプタ２００は、電子機器１００及び外部装置３００の電源として動作する。
【００７８】
電子機器１００及び外部装置３００のうちの電子機器１００だけの動作を可能にしたい場合、ユーザは、電池パック１０２ａを電子機器１００に接続すればよい（図６及び図７のケース（３）参照）。この場合、電池パック１０２ａは、電子機器１００の電源として動作するが、外部装置３００の電源として動作しない。
【００７９】
なお、図５では、電子機器１００が２つの電源と接続される場合を説明した。しかしながら、電子機器１００は、３つ以上の電源と接続されるように構成してもよい。３つ以上の電源が電子機器１００に接続される場合、電源制御部１０３は、３つ以上の電源の出力電圧のうちの最も大きい出力電圧からＶＦ１を差し引いた電圧を出力電圧Ｖ３として出力するように構成される。
【００８０】
また、図１及び図５では、ＡＣアダプタ２００から電子機器１００への電力供給がケーブル４００を介して行われる場合を説明した。しかしながら、ＡＣアダプタ２００から電子機器１００への電力供給は、ケーブル４００の代わりに無線電力伝送を用いるようにしてもよい。
【００８１】
また、図１及び図５では、電子機器１００から外部装置３００への電力供給がケーブル５００を介して行われる場合を説明した。しかしながら、電子機器１００から外部装置３００への電力供給は、ケーブル５００の代わりに無線電力伝送を用いるようにしてもよい。
【００８２】
次に、図８を参照し、図２及び図５における出力電圧Ｖ４と充電可能範囲との関係の一例を説明する。
【００８３】
０Ｖ≦出力電圧Ｖ４≦４．７Ｖである場合、出力電圧Ｖ４は、図２及び図５における電源制御部３０２が電池パック３０６ａの充電を許可できない電圧に相当する。したがって、０Ｖ≦出力電圧Ｖ４≦４．７Ｖである場合、電源制御部３０２は、電源制御部３０２が充電制御部として動作する場合であっても、電子機器１００から外部装置３００に供給された電力を用いて電池パック３０６ａを充電することはしない。
【００８４】
４．７Ｖ＜出力電圧Ｖ４≦５．０Ｖである場合、出力電圧Ｖ４は、図２及び図５における電源制御部３０２が電池パック３０６ａの充電を許可できる電圧に相当する。したがって、４．７Ｖ＜出力電圧Ｖ４≦５．０Ｖである場合であって外部装置３００が充電制御部として動作する場合、電源制御部３０２は、電子機器１００から外部装置３００に供給された電力を用いて電池パック３０６ａを充電することができる。
【００８５】
５．０Ｖ＜出力電圧Ｖ４である場合、出力電圧Ｖ４は、図２及び図５における電源制御部３０２が電池パック３０６ａの充電を許可できない電圧に相当する。したがって、５．０Ｖ＜出力電圧Ｖ４である場合、電源制御部３０２は、電源制御部３０２が充電制御部として動作する場合であっても、電子機器１００から外部装置３００に供給された電力を用いて電池パック３０６ａを充電することはしない。
【００８６】
［実施形態２］
実施形態１で説明した様々な機能、処理及び方法は、パーソナルコンピュータ、マイクロコンピュータ、ＣＰＵ（Ｃｅｎｔｒａｌ  Ｐｒｏｃｅｓｓｉｎｇ  Ｕｎｉｔ）などがプログラムを用いて実現することもできる。以下、実施形態２では、パーソナルコンピュータ、マイクロコンピュータ、ＣＰＵなどを「コンピュータＸ」と呼ぶ。また、実施形態２では、コンピュータＸを制御するためのプログラムであって、実施形態１で説明した様々な機能、処理及び方法を実現するためのプログラムを「プログラムＹ」と呼ぶ。
【００８７】
実施形態１で説明した様々な機能、処理及び方法は、コンピュータＸがプログラムＹを実行することによって実現される。この場合において、プログラムＹは、コンピュータ読み取り可能な記憶媒体を介してコンピュータＸに供給される。実施形態２におけるコンピュータ読み取り可能な記憶媒体は、ハードディスク装置、光ディスク、ＣＤ−ＲＯＭ、ＣＤ−Ｒ、メモリカード、ＲＯＭ、ＲＡＭなどの少なくとも一つを含む。実施形態２におけるコンピュータ読み取り可能な記憶媒体は、ｎｏｎ−ｔｒａｎｓｉｔｏｒｙ（非一時的）な記憶媒体である。
【符号の説明】
【００８８】
１００  電子機器
２００  ＡＣアダプタ
３００  外部装置（撮像装置）
４００  ケーブル
５００  ケーブル
【図１】
2015126515.tif 000003
【図２】
2015126515.tif 000004
【図３】
2015126515.tif 000005
【図４】
2015126515.tif 000006
【図５】
2015126515.tif 000007
【図６】
2015126515.tif 000008
【図７】
2015126515.tif 000009
【図８】
2015126515.tif 000010